【手続補正書】
【提出日】平成15年10月27日(2003.10.27)
【手続補正１】
【補正対象書類名】明細書
【補正対象項目名】発明の名称
【補正方法】変更
【補正の内容】
【発明の名称】写真自動販売機、写真自動販売機の制御方法、写真自動販売機の制御プログラム、および写真自動販売機の制御プログラムを記録した記録媒体
【手続補正２】
【補正対象書類名】明細書
【補正対象項目名】特許請求の範囲
【補正方法】変更
【補正の内容】
【特許請求の範囲】
【請求項１】
複数の分割された背景画像が表示された複数の四角面を含む回転体より構成される背景と、
前記複数の背景画像から、撮影に用いる背景画像を選択する選択手段と、
前記背景を、前記選択された背景画像に切換える切換手段と、
被写体と前記背景とを撮影する撮影手段と、
前記撮影された撮影画像を印刷する印刷手段とを備え、
前記切換手段は、前記選択された背景画像が表示されるように前記複数の回転体を回転させる、写真自動販売機。
【請求項２】
ユーザの指示の入力を受付ける入力手段をさらに備え、
前記選択手段は、前記入力手段において前記ユーザからの指示を受付けることで、前記複数の背景画像から、撮影に用いる背景画像を選択する、請求項１に記載の写真自動販売機。
【請求項３】
前記複数の回転体は、縦または横に並んだ回転体で構成される、請求項１または２に記載の写真自動販売機。
【請求項４】
前記回転体は、前記回転の軸が通過する２面が三角形の三角柱である、請求項１〜３のいずれかに記載の写真自動販売機。
【請求項５】
被写体の背後に位置し、三角面を上下に、画像が表わされた四角面を側方に備える三角柱が複数個横に並んで構成される背景と、
撮影に用いる背景画像を選択する選択手段と、
前記三角柱を、前記上下の三角面を通過する軸の周りに回転させて、前記被写体に面する側の前記四角面に表わされる画像を変化させて、前記被写体の背後に表わされる背景を、前記選択された背景画像に切換える切換手段と、
前記被写体と前記背景とを撮影する撮影手段と、
前記撮影された撮影画像に対して編集を行なう編集手段と、
前記編集された撮影画像を印刷する印刷手段とを備える、写真自動販売機。
【請求項６】
複数の分割された背景画像が表示された複数の四角面を含む回転体より構成される背景を含む写真自動販売機を制御する方法であって、
前記複数の背景画像から、撮影に用いる背景画像を選択する選択ステップと、
前記背景を、前記選択された背景画像に切換える切換ステップと、
被写体と前記背景とを撮影する撮影ステップと、
前記撮影された撮影画像を印刷する印刷ステップとを備え、
前記切換ステップは、前記選択された背景画像が表示されるように前記複数の回転体を回転させる、写真自動販売機の制御方法。
【請求項７】
複数の分割された背景画像が表示された複数の四角面を含む回転体より構成される背景を含む写真自動販売機を制御する方法をコンピュータに実行させるプログラムであって、
前記複数の背景画像から、撮影に用いる背景画像を選択する選択ステップと、
前記背景を、前記選択された背景画像に切換える切換ステップと、
被写体と前記背景とを撮影する撮影ステップと、
前記撮影された撮影画像を印刷する印刷ステップとを実行させ、
前記切換ステップは、前記選択された背景画像が表示されるように前記複数の回転体を回転させる、写真自動販売機の制御プログラム。
【請求項８】
請求項７に記載の写真自動販売機の制御プログラムを記録した、コンピュータ読取可能な記録媒体。
【手続補正３】
【補正対象書類名】明細書
【補正対象項目名】０００１
【補正方法】変更
【補正の内容】
【０００１】
【発明の属する技術分野】
この発明は写真自動販売機、写真自動販売機の制御方法、写真自動販売機の制御プログラム、および写真自動販売機の制御プログラムを記録した記録媒体に関し、特に、ユーザの所望する背景を用いた写真を提供することのできる写真自動販売機、写真自動販売機の制御方法、写真自動販売機の制御プログラム、および写真自動販売機の制御プログラムを記録した記録媒体に関する。


【手続補正４】
【補正対象書類名】明細書
【補正対象項目名】０００７
【補正方法】変更
【補正の内容】
【０００７】
本発明はこのような問題に鑑みてなされたものであり、オリジナリティーの高い背景であって、美しい写真を提供することのできる写真自動販売機、写真自動販売機の制御方法、写真自動販売機の制御プログラム、および写真自動販売機の制御プログラムを記録した記録媒体を提供することを目的とする。


【手続補正５】
【補正対象書類名】明細書
【補正対象項目名】０００８
【補正方法】変更
【補正の内容】
【０００８】
【課題を解決するための手段】
上記目的を達成するために、本発明のある局面に従うと、写真自動販売機は、複数の分割された背景画像が表示された複数の四角面を含む回転体より構成される背景と、複数の背景画像から、撮影に用いる背景画像を選択する選択手段と、背景を、選択された背景画像に切換える切換手段と、被写体と背景とを撮影する撮影手段と、撮影された撮影画像を印刷する印刷手段とを備え、切換手段は、選択された背景画像が表示されるように複数の回転体を回転させる。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２２
【補正方法】変更
【補正の内容】
【００２２】
また、上記複数の回転体は、縦または横に並んだ回転体で構成されることが望ましい。
また、上記回転体は、回転の軸が通過する２面が三角形の三角柱であることが望ましい。
本発明の他の局面に従うと、写真自動販売機は、被写体の背後に位置し、三角面を上下に、画像が表わされた四角面を側方に備える三角柱が複数個横に並んで構成される背景と、撮影に用いる背景画像を選択する選択手段と、三角柱を、上下の三角面を通過する軸の周りに回転させて、被写体に面する側の四角面に表わされる画像を変化させて、被写体の背後に表わされる背景を、選択された背景画像に切換える切換手段と、被写体と背景とを撮影する撮影手段と、撮影された撮影画像に対して編集を行なう編集手段と、編集された撮影画像を印刷する印刷手段とを備える。
本発明のさらに他の局面に従うと、写真自動販売機の制御方法は、複数の分割された背景画像が表示された複数の四角面を含む回転体より構成される背景を含む写真自動販売機を制御する方法であって、複数の背景画像から、撮影に用いる背景画像を選択する選択ステップと、背景を、選択された背景画像に切換える切換ステップと、被写体と背景とを撮影する撮影ステップと、撮影された撮影画像を印刷する印刷ステップとを備え、切換ステップは、選択された背景画像が表示されるように複数の回転体を回転させる。
本発明のさらに他の局面に従うと、写真自動販売機の制御プログラムは、複数の分割された背景画像が表示された複数の四角面を含む回転体より構成される背景を含む写真自動販売機を制御する方法をコンピュータに実行させるプログラムであって、複数の背景画像から、撮影に用いる背景画像を選択する選択ステップと、背景を、選択された背景画像に切換える切換ステップと、被写体と背景とを撮影する撮影ステップと、撮影された撮影画像を印刷する印刷ステップとを実行させ、切換ステップは、選択された背景画像が表示されるように複数の回転体を回転させる。
本発明のさらに他の局面に従うと、記録媒体は上述の写真自動販売機の制御プログラムを記録した、コンピュータ読取可能な記録媒体である。